【手続補正書】
【提出日】平成16年1月14日(2004.1.14)
【手続補正１】
【補正対象書類名】明細書
【補正対象項目名】００１９
【補正方法】変更
【補正の内容】
【００１９】  請求項４実施例について図４２〜５０と汎用螺旋階段イメージ図３６と３７参照により説明する。  先ず昇降ステップ１支持左右計４ローラを同一水平面支持形式について図４２と４２Ａ及び図４５により構成概要を説明する。レールとブレーキ形式は請求項１と同形式のため構成機能説明は割愛する。ストレート降下カーブドチエインのローラ下面と螺旋昇降部チエインローラの上、下部支持又はガイドレール構成等に適用切断検知形式については別項で説明する。次にストレート降下水平屈折面又は旋回と螺旋入出端直前の水平面ブラケット旋回形式について説明する。ステップ支持上昇と降下側軸装備４個の鍔付ローラ２と４を同一水平面支持ストレート昇降ガイドには、壁面の２列合成レール１１３と階段側１１３Ａを構成し、図４２は上昇停止と降下水平屈折直後の説明側面図である。ステップ１下面には上昇側左右ローラ２の装備軸２６嵌装限定角旋回ブラケット５６とブレーキ構成降下側同ブラケット５６の２個をステップセンター振分け構成し、上昇側ブラケット嵌装軸２６の上方は牽引チエイン装架適応に降下側より軸上空間を高くし、又ストレート昇降角度絡みでは干渉回避に上昇側軸２６を２分割片持形式とする。降下側レールはブレーキ構成の深溝に対し、上昇側は浅溝形式のため図４２の如く水平屈折以降内、外周共１段１列レール収約形式に於いて、鍔付ローラを溝形レール内側下面支持ガイド方式で上、下ローラのレール幅広狭区分規制構成により、レールガイドトラブル無く円滑昇降する。ストレート降下点上向き屈折部は図４５の下弦コーナガイド３９を介してカーブドチエイン６９を屈折ガイドし、側面ガイドローラ７０を介して旋回レール１００のガイドと共にカーブドチエインの上、下部支持ガイド対策について説明する。螺旋コースのチエインローラ直下面レールはローラ上面レールガイドによるローラ上、下面同時拘束矛盾回避にローラ下面と下部レール間適性クリヤランス設定と切断チエイン降下部検知用レール分断形式とし、カーブドチエインのストレート昇降コースに於いては、レール分断部はチエイン通過抵抗少い面加工空間に分断構成する。又カーブドチエイン６９とステップ１の連結は下弦コーナガイド３９の非干渉強化に連結部チエインリンクの厚化と、ローラピン関連の各種強化牽引ブラケット１６構成により牽引部をコンパクト剛性化する。尚図４４の２点鎖線１０９は４ローラ同一水平面支持形式と水平旋回内、外周１段１列レールイメージ兼用表示である。又チエインの切断検知に上記チエインローラ下面支持レール分断空白部に切断チエイン降下検知方式は停電時にも有効であるが、更にチエインアタッチ検知方式の排除合理化にモータ装備端の同形式検知を介して、同期モータ停止と同期ブレーキ起動バネ抑止電磁ストッパー解除によるブレーキ停止方式は、従来のステップ内チエイン張力検知ローラ介在切断同期ブレーキバネ抑止解除ブレーキ停止方式の検知ユニットは不要撤去と共に、複雑なカーブドチエイン全コースのチエインアタッチ排除簡易化も選択肢とする。
【手続補正２】
【補正対象書類名】明細書
【補正対象項目名】００２０
【補正方法】変更
【補正の内容】
【００２０】  次にストレート降下〜水平旋回又は螺旋コースの円滑昇降にステップ１の直下面上昇と降下側に、ステップ支持４ローラ装備軸嵌装左右ブラケット５６装架用ステップベース固定旋回竪軸６５介在旋回開閉方式における平面旋回又は螺旋コース及び各区間の境界域左右ブラケットの瞬時差個別旋回連動機構について、図４９、５０と４５により説明する。尚カム連動ブラケット５６旋回停止ストッパー９６と９８は以下ブラケット旋回カムと略称する。先ず平面図４４によりブラケットの両側挾み形式にステップ固定配備ブラケット旋回開閉用昇降カム機構及びストッパー形式について要約説明する。連動カローラ１１６介在カム起動ガイドレール１１４は内周レール外方ステップ支持ローラ鍔直下附近に１列装備し、ブラケット旋回カム９６、９８は同形式同心直径団差のテーパ介在重ね形式昇降作動カムで、円形断面の９６はカムの小径部によるストッパー表示である。外周レール方向ブラケット外側面配備旋回限度ストッパー９９と対面各１個９６の円形断面表示は、ストレート昇降ブラケット平行位置限定ストッパーである。本発明のブラケット旋回開閉基礎理念はステップ本体ベース固定のブラケット旋回用ストロークをカム段差とする同心直径段差ローラカムを、ブラケット５６の左右張出し、側面カム９８と９６は上、下ブラケット５６位相違い装備で、ブラケット挾みスパンはブラケット左右拘束形式で僅少角旋回駆動面又は円錐台形状ローラ１１５と、更にカム昇降適性クリヤランス加算のブラケット両側拘束スパンを形成し、カム起動レール１１４により昇降ガイドを受ける連動ローラ１１６を介して、ブラケット挾み旋回同期位置決め方式である。  次にブラケット旋回開閉用昇降カム９６と９８の連動機構について図４９、５０と４５により説明する。ブラケット開閉方向説明は図面上方の外周レールを対象とする。ブラケット旋回カム９６、９８構成カム軸１１７はステップフレーム７３固定の上、下部固定ベース１２０と１２１による軽快昇降ガイドと両方ガイド中間に左右カム軸１１７の同時昇降固定し、カム昇降ストローク上昇端の降下開始点支援バネ１１９装備の昇降ベース１１８による同期昇降形式である。  次にストレート昇降、旋回又は螺旋コース及び境界のブラケット姿勢制御について説明する。ストレート昇降時のブラケット外側配備機能は図４９、５０の上昇側ブラケット左の旋回カム９６は段差小径で９８は大径部で、逆に降下側左の９８は大径と９６は小径で左右ブラケット上方内側のストッパー９６と共に、ブラケットは常時拘束旋回により２軸の平行又は旋回コースの開放角を確保している。
【手続補正３】
【補正対象書類名】明細書
【補正対象項目名】００２１
【補正方法】変更
【補正の内容】
【００２１】  次にストレート降下踊場旋回又はストレート降下螺旋コース等入、出端直前のブラケット個別旋回について図４９、５０と４５により説明する。本発明中先ずストレート降下水平屈折踊り場旋回形式兼用、介在螺旋階段併装新規螺旋昇降コース転入往復昇降に於いて、既設階段上落差拡大防止とコーナ旋回スペース抑制に、螺旋コース入、出端直前設定ステップ長さ限定水平面を介して両ブラケットの個別旋回完了と同期螺旋コース転入往復昇降方式である。側面図４９の中央左側旋回ブラケット５６はストレート降下２軸へ憩うコース定位置の昇降カム関係位置イメージ説明側面図で、右側は降下側ブラケット５６の個別旋回直後のカム関係イメージ説明図である。  次に旋回行程について説明する。側面図４９右側はブラケット旋回用カム９８と９６の同時昇降用固定カム軸１１７下端装備連動ローラ１１６が、カム昇降起動ガイドレール１１４のスロープ上昇移行同期連動左右の旋回カム９６と９８は同心直径段差カムの半径段差ストローク発生展開形式で、ストローク上昇同期左の旋回カム９８の小径部スライドで半径差分ストローク引寄せによるクリヤランスを発生させ、同期的にカム９６側の大径部により押出し分力とストロークを発生し、カム移動同期ブラケット後部内週側は左旋回による外周レール対象右旋回形式派の常時ブラケット位置安定拘束によるシンプルでユニークな旋回方式である。又上昇側ブラケットの旋回カム段差は降下側と逆位相により、上昇側が降下側ブラケット位置では左旋回で逆八の字展開になる。ブラケット旋回カム９６と９８は周辺のコンパクト化に不要部は欠円処理とする。更に本発明はユニークなステップ支持４ローラ同一水平面構成によりストレート降下中螺旋昇降用落差角転換には格別機構も制御も必要としないが、残された行程は螺旋コースの旋回角転入用上昇と降下側両ブラケットの個別旋回平面を介して螺旋コース転入を可能にする。説明は割愛する。  次に図４５と４６参照により昇降カムによる旋回起動について説明する。カム昇降起動ガイドレール１１４はカーブドチエイン６９側面ガイドローラ７０の旋回ガイドレール１００と至近構成のためサポートベースに活用し、装備関係位置はステップ内周側ローラ鍔下位相当部に構成する。次に昇降ステップ支持ローラガイドレール面高低差及び施工時発生僅少ギャップ補正〜静状昇降化に図４５の如く旋回軸６５下端でブラケットフレーム５６と簡単なピンボルト連結形式による僅少の自律スイング調整機能を構成している。又上昇側ブラケット５６も降下側動揺限定僅少の自律スイング機能付加も装備条件の選択肢とする。
【手続補正４】
【補正対象書類名】明細書
【補正対象項目名】００２２
【補正方法】変更
【補正の内容】
【００２２】  牽引カーブドチエインとステップ１のコンパクト堅牢固停に連結部チエインローラと平行至近直下にステップ牽引ブラケット１６先端ロッド部強化に、チエインリクプレートを厚く強力ジョイント化し、チエインローラ上面ガイドレールは螺旋コース要部に限定し、ローラ下面レールはチエインアタッチを切断対象のスペース確保に分断配備と共に従動スプロケット端にチエインテンショナー構成による緩み防止形式とする。図４７はストレート降下水平屈折旋回とストレート降下汎用螺旋階段介在方式夫々のストレート昇降〜旋回域直前設定水平面上旋回前後の両方ブラケット関係位置と旋回コース上のブラケットイメージ説明平面図である。次に図４８の自走形式は請求項１の図２４と旋回ブラケット構成以外は同形式のため説明は割愛する。尚付帯装置は請求項１の選択構成とする。次に昇降路上落下トラブル防止には図３に準じ昇降連動手繰りベルト形式に於いて、ベルト両側構成チエイン活用、カムブレーキ代替簡素化に、図２６検知形式とする手繰りローラ間に簡易作動楔又はベルト両側チエイン対象簡単なラチエット機構その他ストッパー作動形式を選択肢とする。尚図３形式にもブレーキ兼用機能化を選択肢とする。本発明は説明例のみに限定されるものではなく、発明の要旨を逸脱しない範囲に於いて更に種々改善向上は勿論である。
【手続補正５】
【補正対象書類名】明細書
【補正対象項目名】００２６
【補正方法】変更
【補正の内容】
【００２６】    【図３８】ストレート昇降水平屈折ハンドプラーに於いて、昇降端スプロケット限定    装備左右ガイドローラユニット構成形式プラーコースレール断面図    【図３９】図３８の手摺り及びハンドプラー面構成説明平面図    【図４０】カーブドチエイン１列装備合成レール内簡素化にボールベアを排除し、チ    エイン内外周に浮上防止ガイドローラ配備によりコンパクト安全化握り７６取付部断    面図である。    【図４０Ａ】カーブドチエインの旋回内外周に浮上防止ガイドローラ配備手摺り部断    面図である。    【図４１】カーブドチエイン内周側に竪形ガイドローラと浮上防止ローラの交互配備    し外周には屈折部カーブ適応ピッチに浮上防止ローラ標準配備の参考平面図    【図４２】ステップ支持４個のベースローラを同一水平装備カーブドチエイン１系列    牽引形式昇降旋回ステップの直下面上昇と降下側夫々にステップ支持ローラ装備軸嵌    装の個別旋回用竪軸構成ブラケットを介して、昇降区間の２軸平行と旋回時の限定角    連動開放及び各境界区間瞬時の個別旋回方式水平屈折イメージ説明側面図    【図４２Ａ】図４２の階段側昇降レール側面局部図    【図４３】ステップ支持ベースローラ４個を同一水平面装備コンパクト化ステップ下    面に牽引チエイン構成に、上昇側を深溝形旋回ブラケットと降下側に浅形配備形式の    ２軸連動開閉水平屈折及び螺旋階段昇降兼用ステップ側面図    【図４４】図４３の平面図で水平旋回説明図兼用に於けるレール部の２点鎖線は水平    面旋回時ステップ左右レールは１段集約形式対比螺旋昇降左右２列レール１貫構成螺    旋階段兼用レールイメージ区分とし、上昇と降下側２軸嵌装旋回ブラケットを介して    昇降、旋回、各境界区間の２軸平行、均等開放、瞬時の個別旋回等水平屈折平面上旋    回形式の説明兼用イメージ平面図である。  尚２点鎖線は汎用螺旋階段用レールイメ    ージとする。    【図４５】ストレート降下水平屈折下限コーナガイド及びカーブドチエイン旋回レー    ル並びに切断検知ローラ関連及び水平旋回と螺旋用限定僅少スイング旋回ブラケット    説明正面断面図    【図４６】図４３と４４の昇降ステップ上昇側構成ステップ支持ローラ軸のフリー旋    回鍔をローラ１体鍔形式に簡易化と牽引カーブドチエイン昇降上下スパン拡大化ブラ    ケット正面図    【図４７】ストレート降下水平屈折〜旋回域と２点鎖線によるステップ左右２列ガイ    ド降下螺旋階段コーナ部平面イメージ説明図    【図４８】ストレート降下汎用螺旋階段介在自走形式正面断面図    【図４９】図４３の関連説明図でストレート降下〜平面旋回又はストレート降下汎用 螺旋階段コース等のストレートと旋回境界域に於ける上昇と降下側旋回ブラケットの 個別旋回行程の詳細側面図である。左側ブラケットはストレート側でカム軸は降下状 態で、右側はカム軸上昇バネ圧縮状態である。    【図５０】図４９の平面図【手続補正６】
【補正対象書類名】図面
【補正対象項目名】図４５
【補正方法】変更
【補正の内容】
【図４５】
2004131289.tif 000001
【手続補正７】
【補正対象書類名】図面
【補正対象項目名】図４９
【補正方法】追加
【補正の内容】
【図４９】
2004131289.tif 000002
【手続補正８】
【補正対象書類名】図面
【補正対象項目名】図５０
【補正方法】追加
【補正の内容】
【図５０】
2004131289.tif 000003